(57)【特許請求の範囲】
【請求項１】
一方のコネクタにレバーを回動自在に設け、該レバーのカム部にスライド係合する従動部を他方のコネクタに設けたレバー嵌合式コネクタにおいて、前記レバーに第一のロック部と押圧部とを設け、前記一方のコネクタに、該第一のロック部に係合する第一の被ロック部を設けると共に、該第一のロック部と該第一の被ロック部との係合前に該押圧部でロック解除方向に押される一端側の被押圧部と、他端側の係止部とを有するシーソー式に回動可能な第二のロック部を設け、該係止部に係合する第二の被ロック部を前記他方のコネクタに設け、該レバーの回動途中に該押圧部が該被押圧部を押圧して該第二のロック部を回動させることで、該係止部と該第二の被ロック部とのロックを解除させることを特徴とするレバー嵌合式コネクタ。
【請求項２】
前記被押圧部に隣接して前記第二のロック部に前記押圧部を進入させる部分が設けられたことを特徴とする請求項１記載のレバー嵌合式コネクタ。
【請求項３】
前記第一のロック部が前記レバーの前端側に設けられた可撓性の第一のロックアームであることを特徴とする請求項１又は２記載のレバー嵌合式コネクタ。
【請求項４】
前記第二のロック部が第二のロックアームであり、該第二のロックアームの前端側に、前記第二の被ロック部に対する係止部が設けられ、該第二のロックアームの後端側に前記被押圧部が設けられ、該第二のロックアームが自由状態において前下がりに付勢されたことを特徴とする請求項１〜３の何れか１項に記載のレバー嵌合式コネクタ。
【請求項５】
前記押圧部が前記レバーから垂下された板状のフィン部であり、前記押圧部を進入させる部分が第二のロック部の長手方向の溝部であることを特徴とする請求項１〜４の何れか１項に記載のレバー嵌合式コネクタ。
【請求項６】
前記押圧部が前記第一のロック部の後方で該第一のロック部の幅方向中央と同軸上に配置されたことを特徴とする請求項１〜５の何れか１項に記載のレバー嵌合式コネクタ。
【請求項７】
前記第二のロック部が、前記第一の被ロック部である枠状壁の内側に配置されたことを特徴とする請求項１〜６の何れか１項に記載のレバー嵌合式コネクタ。
【発明の詳細な説明】
【０００１】
【発明の属する技術分野】
本発明は、レバーの回動操作で雄・雌両コネクタを低力で嵌合させ、且つレバーのロックと両コネクタのロックとを行わせるレバー嵌合式コネクタに関するものである。
【０００２】
【従来の技術】
従来、多極の端子を有する雄・雌両コネクタを容易に嵌合させるために、レバーを用いて嵌合操作力を低減させる構成が採用されている。
【０００３】
例えば、雌側のコネクタにレバーを回動自在に設け、レバーと雄側のコネクタとに係止手段を設けて、コネクタ嵌合と同時に係止手段の係合によって、レバーと雄側のコネクタとが係止（ロック）され、それによってレバーのロックと両コネクタのロックとが行われる。
【０００４】
しかしながら、このレバー嵌合式コネクタにあっては、例えば外部との強い干渉によってレバーが破損した場合に、コネクタ相互のロック機能が失われ、雄・雌両コネクタが離脱して電気的接続が解除されてしまうという問題があった。
【０００５】
そこで、レバーのロック機構と雄・雌両コネクタのロック機構とを別に設定して、コネクタ接続の信頼性を高める必要が生じ、例えば図１２に示すようなロック式コネクタが提案されている（特開平２−２７８６７４号公報参照）。
【０００６】
このロック式コネクタ５１は、雌側のコネクタ５２に係止突起５３を有するレバー５４を回動自在に設け、雄側のコネクタ５５に、係止突起５３に対する係合突起５６と、雌側のコネクタ５２に対する可撓性のロックアーム５７とを設けて、レバー５４のロックとコネクタ５２，５５相互のロックを別々に行わせるようにしたものである。
【０００７】
レバー５４にはカム溝５８が設けられ、雄側のコネクタ５５には、カム溝５８に係合する従動軸５９が突設され、雌側のコネクタ５２には、従動軸５９に対するコネクタ嵌合方向のスリット部６０が設けられている。また、ロックアーム５７には係止突起６１が設けられ、雌側のコネクタ５２には、係止突起６１に対する係合凹部６２が設けられている。
【０００８】
従動軸５９をスリット部６０に挿入した状態でレバー５４を前方に回動させることで、従動軸５９がカム溝５８に係合し、カム溝５８に沿ってコネクタ嵌合方向に誘導される。これにより、雄・雌両コネクタ５５，５２が嵌合し、レバー５４のロックと両コネクタ５５，５２のロックとが同時に行われる。
【０００９】
なお、本明細書においては、コネクタ嵌合室６３を有する側を雌側のコネクタ５２、コネクタ嵌合室６３に挿入嵌合される側を雄側のコネクタ５５と定義する。雌側のコネクタ５２内には電線付きの雄側の端子が複数挿入係止され、雄側のコネクタ５５内には電線付きの雌側の端子が複数挿入係止されている。雄・雌両端子（図示せず）は雄・雌両コネクタ５５，５２の嵌合と同時に接続される。
【００１０】
【発明が解決しようとする課題】
しかしながら、上記従来のレバー嵌合式コネクタ５１にあっては、コネクタ嵌合操作時にロックアーム５７の係止突起６１が雌側のコネクタ５２の前端に突き当たり、それによってロックアーム５７を撓ませるために、コネクタ嵌合操作力が高くなりやすいという問題があった。また、コネクタ嵌合後に雄・雌両コネクタ５５，５２の嵌合を解除する際に、先ずロックアーム５７を撓ませてロックアーム５７の係止を解除し、その状態を維持しつつレバー５４を後方に回動してレバー５４の係止を解除させなければならないために、ロック解除操作すなわちコネクタ離脱操作が面倒であるという問題があった。
【００１１】
本発明は、上記した点に鑑み、コネクタ嵌合やコネクタロックに要する操作力を一層低減させると共に、コネクタ嵌合や離脱操作及びレバーと両コネクタの各ロックやロック解除を作業性良く容易に行うことのできるレバー嵌合式コネクタを提供することを目的とする。
【００１２】
【課題を解決するための手段】
上記目的を達成するために、本発明の請求項１に係るレバー嵌合式コネクタは、一方のコネクタにレバーを回動自在に設け、該レバーのカム部にスライド係合する従動部を他方のコネクタに設けたレバー嵌合式コネクタにおいて、前記レバーに第一のロック部と押圧部とを設け、前記一方のコネクタに、該第一のロック部に係合する第一の被ロック部を設けると共に、該第一のロック部と該第一の被ロック部との係合前に該押圧部でロック解除方向に押される一端側の被押圧部と、他端側の係止部とを有するシーソー式に回動可能な第二のロック部を設け、該係止部に係合する第二の被ロック部を前記他方のコネクタに設け、該レバーの回動途中に該押圧部が該被押圧部を押圧して該第二のロック部を回動させることで、該係止部と該第二の被ロック部とのロックを解除させることを特徴とする。
【００１３】
上記構成により、先ずコネクタ嵌合に際してレバーをコネクタ嵌合方向（前方）に回動させると、他方のコネクタが従動部と一体に一方のコネクタに向けて誘導されつつ、レバーの押圧部が第二のロック部の被押圧部を押して第二のロック部をロック解除方向に回動させ、第二のロック部が他方のコネクタの第二の被ロック部と非接触ないし弱い接触力で接して第二の被ロック部上に位置し、レバーの回動に伴って押圧部が被押圧部から外れて両コネクタの完全嵌合と同時に第二の被ロック部に係合し、両コネクタがロックされ、それと同時に第一のロック部が第一の被ロック部に係合してレバーがロック固定される。このように、レバーの回動操作のみでレバーのロックと雄・雌両コネクタのロックとが行われる。また、第二のロック部が第二の被ロック部に衝接しないから、コネクタ嵌合及びコネクタロックが低い力でスムーズに行われる。
【００１４】
次いでコネクタ離脱に際して第一のロック部を第一の被ロック部から離脱させつつレバーをコネクタ離脱方向（後方）に回動させると、レバーの押圧部が第二のロック部の被押圧部を押して第二のロック部をロック解除方向に回動させ、それにより第二のロック部と他方のコネクタの第二の被ロック部との係合が解除される。レバーの第一のロック部のロック解除とレバーの回動操作すなわち両コネクタのロック解除とを同じ手指で連続的に行うことができる。
【００１５】
請求項２に係るレバー嵌合式コネクタは、請求項１記載のレバー嵌合式コネクタにおいて、前記被押圧部に隣接して前記第二のロック部に前記押圧部を進入させる部分が設けられたことを特徴とする。
【００１６】
上記構成により、コネクタ嵌合に際してレバーの押圧部が第二のロック部の被押圧部から隣の被進入部分へ進入し、これにより押圧部による押圧が解除され、第二のロック部がロック方向に復元して他方のコネクタの第二の被ロック部に係合する。コネクタ離脱に際しては、レバーの押圧部が被進入部分から脱出して隣の被押圧部を押圧して、第二のロック部と第二の被ロック部との係合が解除される。
【００１７】
請求項３に係るレバー嵌合式コネクタは、請求項１又は２記載のレバー嵌合式コネクタにおいて、前記第一のロック部が前記レバーの前端側に設けられた可撓性の第一のロックアームであることを特徴とする。
【００１８】
上記構成により、第一のロックアームを後方に撓ませてロック解除させつつレバーを後方に回動操作することができ、それによりコネクタ嵌合解除が容易に行われる。
【００１９】
請求項４に係るレバー嵌合式コネクタは、請求項１〜３の何れか１項に記載のレバー嵌合式コネクタにおいて、前記第二のロック部が第二のロックアームであり、該第二のロックアームの前端側に、前記第二の被ロック部に対する係止部が設けられ、該第二のロックアームの後端側に前記被押圧部が設けられ、該第二のロックアームが自由状態において前下がりに付勢されたことを特徴とする。
【００２０】
上記構成により、第二のロックアームの自由状態で後側の被押圧部が高く位置し、レバーの前方回動時に押圧部で確実に当接され、且つ確実に押し下げられ、同時に前側の係止部が持ち上げられて、第二のロックアームのロック解除方向への回動が正確に行われる。係止部に被ロック部が係合した段階で、係止部側が被ロック部に対して係止方向（下向き）に弾性付勢されるから、ロックの信頼性が高まる。
【００２１】
請求項５に係るレバー嵌合式コネクタは、請求項１〜４の何れか１項に記載のレバー嵌合式コネクタにおいて、前記押圧部が前記レバーから垂下された板状のフィン部であり、前記押圧部を進入させる部分が第二のロック部の長手方向の溝部であることを特徴とする。
【００２２】
上記構成により、板状のフィン部が幅をとらず、構造の小型化が可能となると共に、フィン部が第二のロック部の溝部にスムーズに進入係合して第二のロック部を幅方向に安定させる。また、それによりフィン部の位置すなわちレバーの位置が幅方向に規定され、レバーの第一のロック部が第一の被ロック部に位置ずれなく正確に係合する。
【００２３】
請求項６に係るレバー嵌合式コネクタは、請求項１〜５の何れか１項に記載のレバー嵌合式コネクタにおいて、前記押圧部が前記第一のロック部の後方で該第一のロック部の幅方向中央と同軸上に配置されたことを特徴とする。
【００２４】
上記構成により、第二のロック部と押圧部と第一のロック部とが垂直な同一平面上に位置し、構造が幅方向に省スペース化・スマート化される。
【００２５】
請求項７に係るレバー嵌合式コネクタは、請求項１〜６の何れか１項に記載のレバー嵌合式コネクタにおいて、前記第二のロック部が、前記第一の被ロック部である枠状壁の内側に配置されたことを特徴とする。
【００２６】
上記構成により、第二のロック部が枠状壁で囲まれて外部との干渉等から保護される。これにより、不意なロック解除や第二のロック部の破損等が防止される。
【００２７】
【発明の実施の形態】
以下に本発明の実施の形態を図面に基づいて詳細に説明する。
図１〜図３は、本発明に係るレバー嵌合式コネクタを構成する雄側のコネクタの一実施形態を示すものである。
【００２８】
雄側のコネクタ１は、合成樹脂製のコネクタハウジング２のフード部３に合成樹脂製のレバー４を回動自在に設け、レバー４に可撓性の第一のロックアーム（ロック部）５と押圧用のフィン部（押圧部）６（図２）とを一体に設け、フード部３に、第一のロックアーム５に対する係止用の枠状壁（第一の被ロック部）７を一体に設け、枠状壁７の内側においてコネクタハウジング２のハウジング主体部８に、フィン部６で一端部を押圧可能なシーソー式の第二のロックアーム（ロック部）９（図２）を一体に設けて、第一のロックアーム５でレバー４のロックを行わせ、第二のロックアーム９で雄・雌コネクタ相互のロックを行わせ、レバー４の回動操作中にフィン部６で第二のロックアーム９をロック解除方向に押圧回動させることを特徴としたものである。
【００２９】
図１の如く、コネクタハウジング２は外側のフード部３と、フード部３の内側に一体に形成されたハウジング主体部８とで構成され、ハウジング主体部８は複数の端子収容室１０を有している。端子収容室１０内に後方から電線付きの雌型の端子（図示せず）が挿入され、端子収容室内の可撓性の係止ランス（図示せず）で係止されて後抜けが阻止される。フード部３の左右両側に略コの字状のレバー４が回動自在に軸支されている。
【００３０】
図３の如く、レバー４はフード部３から取り外し可能である。フード部３の両側壁１１にはコネクタ嵌合方向（水平方向）のスリット部１２が設けられ、図１の如く、スリット部１２に連通してレバー４の両側部にカム孔（カム部）１３が設けられている。スリット部１２とカム孔１３とは雌側のコネクタの従動軸（従動部）を誘導するためのものである。
【００３１】
図３の如く、スリット部１２のやや後方において（コネクタ嵌合方向を前、コネクタ離脱方向を後と定義する）、フード部３にレバー支承用の軸部１４が突設されている。レバー４（図１）の両側板部１５は外側に撓み可能であり、軸部１４からレバー４の両側板部１５を容易に外すことができ、レバー操作（低挿入力嵌合）の不要なものは図３の如くレバー４を外して使用することができる。
【００３２】
図４（レバーの前方視）の如く、レバー４の両側板部１５には、カム孔１３の上端部後方に隣接して、軸部１４（図３）を挿入させる孔部１６が設けられている。カム孔１３はレバー側部の長手方向（起立方向）に延びつつ後方に向けて略円弧状に湾曲している。カム孔１３の下端は外部に一部開放され、雌側のコネクタ（図９）の従動軸を下部開口１３ａからカム孔１３内に挿入可能となっている。カム孔１３はレバー板厚方向に段付きに形成され、従動軸（図９）の円板状の頭部を外側の幅広部１３ｂに係合可能である。レバー４の操作時に孔部（軸部）１６（１４）を中心としてカム孔１３が回動し、孔部１６から遠く離れた下部開口１３ａから従動軸が序々に回動中心に近づくようにコネクタ嵌合方向に誘導される。
【００３３】
図２，図４の如く、レバー４の中央の操作板部１７の前端側に第一のロックアーム５が配設されている。ロックアーム５は略Ｕ字ないしＪ字状に屈曲形成され、一端側が操作板部１７に直交して続き、他端側（自由端側）が操作板部１７の前方に突出し、他端側の前面に係止突起（係止部）１８が一体に形成されている。係止突起１８は他端側の真直部分１９の長手方向中間部に配置され、係止突起１８の上側に真直部分１９の先端側が係止解除操作部として延長されている。係止突起１８は図４で上向きの水平な係止面１８ａと下向きの傾斜面１８ｂを有している（上下はレバーの起立状態を基準としている）。第一のロックアーム５は幅方向中央にスリット２０を有し、係止突起１８はスリット２０を境に左右一対設けられている。
【００３４】
図２，図５（レバーの後方視）の如く、スリット２０の後方にフィン部６が配設されている。スリット２０はフィン部６を樹脂成形するための型抜き孔であり、フィン部６は操作板部１７の下面（内側面）に突設されて、第一のロックアーム５の後方で幅方向中央に位置している。フィン部６の突出高さは第一のロックアーム５の高さと同程度かそれ以上である。フィン部６は略三角形の板状に形成され、前側の傾斜面６ａと、後側の真直面６ｂ（操作板部１７と直交する垂直な面部）と、先端（下端）の水平な押圧面６ｃとを有している。操作板部１７はフィン部６の後側の真直面６ｂの後方まで延長され、その延長部分すなわち操作板部１７の後端部に滑り止めを有する断面略三角形状の操作部２１が形成されている。
【００３５】
図１〜図２及び図６〜図８の如く、フード部３の上壁に略コの字状の枠状壁７が突出形成され、枠状壁７の上側の壁部２３（図２）の上面に、第一のロックアーム５の係止突起１８の傾斜面１８ｂを摺接させる傾斜面２２（図２）が形成され、壁部２３の内側面（下面）に係止突起１８の係止面１８ａが係合可能となっている。
【００３６】
すなわち、図２の如くコネクタ嵌合に際してレバー４を後方に傾倒した状態から矢印Ａの如く起立方向に回動させると、起立位置の手前で係止突起１８の傾斜面１８ａが上側の壁部２３の傾斜面２２に摺接しつつ、ロックアーム５が後方に撓み、係止突起１８が上側の壁部２３を乗り越えて壁部２３の下側に進入係合し、壁部２３の下面に係止突起１８の係止面１８ａが当接する。これにより、レバー４が枠状壁７に係止固定され、レバー４の後方への戻り動作が阻止されて、レバー４の遊びに起因するコネクタ嵌合の緩みや相手雌側コネクタの離脱等が防止される。
【００３７】
枠状壁７の両側の壁部２４はハウジング主体部８の上壁２５に直交して一体に続き、且つ後方に低く延長されて、この延長部２６（図３）がハウジング主体部８の後端まで続いている。枠状壁７の下側にはハウジング主体部８の上壁２５が露出しており、上壁２５に第二のロックアーム（ロック部）９が配設されている。両側の延長部２６は第二のロックアーム９よりもやや高く位置し、ロックアーム９を外部との干渉等から保護している。
【００３８】
第二のロックアーム９はコネクタ嵌合方向に延び、長手方向中間部を一体の低い支柱部２７（図２）で支持されてシーソー式に上下に揺動可能であり、自由状態においてアーム後端部がアーム先端部よりも上向きに高く位置している。ロックアーム９の後端部には被押圧用の上向きの突部（被押圧部）２８が設けられ、ロックアーム９の前端部には、相手雌側のコネクタ２９（図６）の係合突起（第二の被ロック部）３０に対する係止部３１が設けられ、係止部３１の後方に隣接して、係合突起３０を進入係合させる空部３２が設けられている。また、後方の被押圧用の突部２８から支柱部２７の間においてアーム長手方向に、フィン部６の先端６ｃを深く進入させる溝部３３が設けられている。
【００３９】
一例として、第二のロックアーム９は、支柱部２７の前方及び後方において幅方向中央にスリットが設けられ、そのスリットが前側の空部３２（図６）と後側の溝部３３とを構成し、スリットは前端の係止部３１と後端の被押圧用突部２８との直前まで延びているものであってもよい。溝部３３に代えて上下に貫通したスリット孔を用いてもよい。
【００４０】
図６の如く、雄・雌両コネクタ１，２９の嵌合に際して、両コネクタ１，２９を初期嵌合（作業者が手で両コネクタを軽く係合させた）状態で、レバー４を矢印Ａの如く後方から前方に向けて回動させる。雄・雌両コネクタ１，２９でレバー嵌合式コネクタ３４（図１０）が構成される。
【００４１】
図６の初期嵌合状態で、レバー４は第二のロックアーム９の後方において斜めに傾倒して位置している。雌側のコネクタ２９の係合突起３０は第二のロックアーム９のやや前方に対向して位置し、雌側のコネクタハウジング３５の前端部は第二のロックアーム９の前端部の下側に進入し、雌側のコネクタハウジング３５の内側に雄側のコネクタ１のハウジング主体部８の前端部が進入している。
【００４２】
図６の初期嵌合状態からレバー４を前方に回動させることで、図７の如く、コネクタ嵌合途中において、レバー４から垂下されたフィン部６の先端が第二のロックアーム９の後端側の突部２８を下向きに押圧し、これにより支柱部（支持部）２７を支点として第二のロックアーム９の後半部が下向きに回動し、且つ前半部が矢印Ｂの如く上向きに回動し、アーム前端側の係止部３１が雌側のコネクタ２９の係合突起３０を非接触であるいは傾斜部に弱く接触しつつ乗り越える。
【００４３】
これにより、従来のようなロックアーム９と係合突起３０との衝接が起こらず、コネクタ嵌合操作力が低く抑えられ、嵌合操作性が向上する。また、レバー４の回動時にフィン部６の前側の傾斜面６ａが第二のロックアーム９の後端にスムーズに摺接して、レバー４の回動と第二のロックアーム９の回動とが引っ掛かりなくスムーズに行われる。
【００４４】
このようにレバー４と第二のロックアーム９とは同期して（連動して）同じタイミングで動く。レバー４の回動に伴ってレバー４のカム溝１３（図１）と雌側のコネクタ２９の従動軸３６（図９）とがスライド係合して、雌側のコネクタ２９が雄側のコネクタ１に対して嵌合方向に誘導される。
【００４５】
図７の状態からさらにレバー４の回動を続けることで、図８の如く、レバー４のフィン部６が第二のロックアーム９の突部２８の前方に移動してロックアーム９の幅方向中央の溝部３３に進入し、それと同時にロックアーム９が弾性的に復元して、突部２８が上向きに、係止部３１が下向きにそれぞれ回動する。それにより、雌側のコネクタ２９の係合突起３０がロックアーム９の前半の空部３２内に進入し、係止部３１の後端の係止面が係合突起３０の後端の垂直面に当接する。これにより、雄・雌両コネクタ１，２９が相互にロックされ、離脱が阻止される。
【００４６】
これと同時に、図７の回動途中で枠状壁７の後方に位置していた第一のロックアーム５が図８において枠状壁７に係合し、レバー４が枠状壁７にロック固定され、レバー４の遊びが阻止される。ロックに際して、第一のロックアーム５の係止突起１８が枠状壁７の後端に摺接しつつ、ロックアーム５が後方に撓み、係止突起１８が枠状壁７の上壁２３を上から下に板厚方向に乗り越え、それと同時にロックアーム５が弾性的に復元して係止突起１８が上壁２３の下面側に係合する。
【００４７】
レバー４のフィン部６は第二のロックアーム９の溝部３に進入係合し、ロックアーム９を幅方向に位置決めすると共に、ロックアーム９とフィン部６の位置が相互に正確に保たれる。
【００４８】
図８のコネクタ完全嵌合状態（コネクタロック状態）から両コネクタ１，２９を離脱させるには、レバー４と一体の第一のロックアーム５の自由端部を手指で撓み方向に押圧する（レバー後方に引く）ことで、係止突起１８を枠状壁７から離脱させて、レバー４のロックを解除すると共に、同じ手指で図７の如くレバー４の操作板部１７を後方に押圧（引いて）して回動させる。
【００４９】
これにより、図７の如くレバー４のフィン部６がハウジング主体部側の第二のロックアーム９の後端側の突部２８を下方に押圧し、ロックアーム９が支柱部２７を支点として回動し、ロックアーム９の先端側の係止部３１が持ち上がって相手雌側のコネクタ２９の係合突起３０から離脱し、これによりコネクタ相互のロックが解除される。このロック解除状態のまま両コネクタ１，２９を離脱方向に相対的に引いて移動させることで、図６の如く両コネクタ１，２９の接続が解除される。
【００５０】
上記第一のロックアーム５がレバー４の操作板部１７に近接して一体に設けられているから、第一のロックアーム５の解除とレバー４の解除方向（後方）への回動操作とを同じ手指で同時に行うことができ、コネクタ１，２９の嵌合解除及びロック解除の作業性が向上する。また、フィン部６が第二のロックアーム９の溝部３３内にスライド自在に係合することで、フィン部６が溝部３３に沿って被押圧用の突部２８へ位置ずれなく正確に案内され、突部２８の押圧すなわちロック解除が正確に行われる。
【００５１】
図９は雌側のコネクタの一形態を示すものであり、この雌側のコネクタ２９は、上下左右の壁部で囲まれたコネクタ嵌合室３７を有するコネクタハウジング３５と、後側の垂直な基壁３８と、基壁３８を貫通してコネクタ嵌合室３７内に突出した雄型のピン状の端子３９とを備えている。端子３９の後部３９ａは下向きに屈曲して図示しない回路基板にハンダ接続される。雌側のコネクタ２９は例えば機器直付けコネクタとして機能する。
【００５２】
コネクタハウジング３５の上壁４０に、前記第二のロックアーム９の前端側の係止部３１（図８）に対する係合突起３０が一体に設けられている。係合突起３０は前側の傾斜面と後側の垂直な係止面とを有している。コネクタハウジング３５の両側壁４１には、前記レバー４のカム孔１３（図１）にスライド係合する短円柱状の従動軸３６が外向きに突設されている。従動軸３６は先端に大径の頭部３６ａを有している。
【００５３】
図１０は、図６に対応して、雄・雌両コネクタ１，２９を手で軽く初期嵌合させた状態を示すものであり（端子や電線は図示を省略している）、レバー４は雄側のコネクタ１の後方に傾倒して位置している。雄側のコネクタ１の支軸１４がレバー４の後寄りの孔部１６に係合し、レバー４の前寄りのカム孔１３の前端に雌側のコネクタ２９の従動軸３６が係合している。雄側のコネクタ１の上側の枠状壁７の内側に第二のロックアーム９が位置し、ロックアーム９のやや前方に雌側のコネクタ２９の係合突起３０（図６）が位置している。
【００５４】
図１０の状態からレバー４を前方へ回動させることで、図１０で前下がりに傾斜したカム孔１３が後方の軸部１４を支点として下方へ回動し、雌側のコネクタ２９の従動軸３６がカム孔１３の一端から他端（図１１で上端）に向けて相対的にスライド移動しつつコネクタ嵌合方向に引き寄せられ、これにより図１１の如く雄・雌両コネクタ１，２９が完全に嵌合する。
【００５５】
図１１は、図８に対応したコネクタ完全嵌合状態を示すものであり、レバー４は起立し、レバー側の第一のロックアーム５は雄側のコネクタ１の枠状壁７に係止され、雄側のコネクタ１の第二のロックアーム９はレバー４のフィン部６の押圧作用で上下に揺動して雌側のコネクタ２９の係合突起３０に係止されている。
【００５６】
第一のロックアーム５の先端部（上端部）はレバー４の矩形状の切欠部４２内に位置し、切欠部４２の後端面とロックアーム５の後面との間に撓み空間を存している。ロック解除に際しては、第一のロックアーム５の先端部（図１１で符号５で示す部分）を後方に引くことで、先端部をレバー４の切欠部４２の後端面に当接させたまま、レバー４を後方に回動させることができるから、ロック解除作業性が良好である。フィン部６は第二のロックアーム９の溝部３３内に位置している。第二のロックアーム９はレバー４と枠状壁７との内側に位置して外部との干渉から保護されている。
【００５７】
なお、上記実施形態以外に、例えばレバー４のカム孔１３をカム溝としたり、レバー４や第一及び第二のロックアーム５，９や係止用の枠状壁７を雄側ではなく雌側のコネクタに設けたりすることも可能である。この場合、雄側のコネクタ１のフード部３が雌側のコネクタの外周壁に相当し、フード部を用いない雄側のコネクタを使用する。また、枠状壁７に代えて、第一のロックアーム５の係止突起１８に対する係合壁部を含む略Ｌ字状や水平状等の壁部を設けることも可能である。
【００５８】
また、フィン部６の形状は略三角形ないし台形に限らず、矩形状や湾曲状（円弧状）や、柱状や突起状であってもよい。この場合、フィン部６の前端ではなくロックアーム９の被押圧部である突部２８の後端に案内用の傾斜面を設けてもよい。また、第二のロックアーム９の形状は、前端側の係止部が下向きすなわち係止方向に付勢されており、且つシーソー式に揺動するものであれば、両持ち式等であってもよい。また、第一のロックアーム５の係止突起１８に代えて係止凹部を形成し、枠状壁７の上壁部等に、係止凹部に係合する係合突起を設けることも可能である。また、第二のロックアーム９の係止部３１を係止突起とし、相手側の係合突起３０に代えて係合凹部や係合孔を用いることも可能である。
【００５９】
【発明の効果】
以上の如く、請求項１記載の発明によれば、コネクタ嵌合操作時にレバーの回動操作のみでレバーのロックと雄・雌両コネクタのロックとを行うことができるから、コネクタの嵌合作業性が向上する。また、レバーの回動操作時にレバーの押圧部が第二のロック部の被押圧部を押して回動させ、第二のロック部が第二の被ロック部に衝接しないようになるから、コネクタ嵌合及びコネクタロックが低い力でスムーズに行われ、嵌合操作性が向上する。また、両コネクタを離脱させるべくレバーを逆方向に回動操作する際に、第一のロック部のロック解除とレバーの回動操作すなわち両コネクタのロック解除とを同じ手指で連続的に行うことができるから、コネクタ離脱作業性が向上する。
【００６０】
また、コネクタ嵌合後にたとえレバーが破損した場合でも、両コネクタがレバーとは別体の第二のロック部でロックされているから、電気的接続の信頼性が高まる。また、レバーを取り外しても第二のロック部で嵌合が確保されるから、端子数の少ないコネクタの場合はレバーを用いずに低コスト化できる。
【００６１】
請求項２記載の発明によれば、コネクタ嵌合に際してレバーの押圧部が第二のロック部の被押圧部から隣の被進入部分へ進入することで、押圧部による押圧が確実に解除され、第二のロック部がロック方向に復元して他方のコネクタの第二の被ロック部に確実に係合するから、両コネクタのロックが確実に行われる。
【００６２】
請求項３記載の発明によれば、コネクタの離脱操作に際して第一のロックアームを後方に撓ませてロック解除させつつレバーを同方向（後方）に回動操作することで、レバーのロック解除と両コネクタのロック解除とを行わせることができるから、コネクタの離脱作業性が向上する。
【００６３】
請求項４記載の発明によれば、第二のロックアームの自由状態で後側の被押圧部が高く位置し、レバーの前方回動時に押圧部で確実に当接され、且つ確実に押し下げられ、同時に前側の係止部が持ち上げられて、第二のロックアームのロック解除方向への回動が正確に行われるから、コネクタのロック性及びロック解除性が高まる。また、係止部に被ロック部が係合した段階で、係止部側が被ロック部に対して係止方向（下向き）に弾性付勢されるから、ロックの信頼性が高まる。
【００６４】
請求項５記載の発明によれば、板状のフィン部が幅をとらず、構造の小型化が可能となると共に、フィン部が第二のロック部の溝部にスムーズに進入係合して第二のロック部を幅方向に安定させるから、コネクタロックの信頼性が高まる。また、フィン部の位置すなわちレバーの位置が幅方向に正確に規定されるから、レバーロックの信頼性が高まる。
【００６５】
請求項６記載の発明によれば、第二のロック部と押圧部と第一のロック部とが垂直な同一平面上に位置し、コネクタ構造が幅方向に省スペース化・スマート化される。
【００６６】
請求項７記載の発明によれば、第二のロック部が枠状壁で囲まれて外部との干渉等から保護されるから、不意なロック解除や第二のロック部の破損等が防止される。
【図面の簡単な説明】
【図１】本発明のレバー嵌合式コネクタにおける雄側のコネクタの一形態を示す斜視図である。
【図２】同じく雄側のコネクタのロック機構の要部を示す斜視図である。
【図３】レバーを外した雄側のコネクタを示す斜視図である。
【図４】レバーを前方から見た状態の斜視図である。
【図５】レバーのロック部を後方から見た状態の斜視図である。
【図６】雄・雌コネクタを初期嵌合させた際のロック機構の要部を示す斜視図である。
【図７】同じく両コネクタの嵌合途中におけるロック機構の要部を示す斜視図である。
【図８】両コネクタの完全嵌合状態におけるロック機構の要部を示す斜視図である。
【図９】レバー嵌合式コネクタにおける雌側のコネクタの一形態を示す斜視図である。
【図１０】雄・雌コネクタを初期嵌合させた状態を示す斜視図である。
【図１１】雄・雌コネクタを完全嵌合させた状態を示す斜視図である。
【図１２】従来のレバー嵌合式コネクタの一形態を示す分解斜視図である。
【符号の説明】
１    雄側のコネクタ（一方のコネクタ）
４    レバー
５    第一のロックアーム（ロック部）
６    フィン部（押圧部）
７    枠状壁（第一の被ロック部）
９    第二のロックアーム（ロック部）
２８  突部（被押圧部）
２９  雌側のコネクタ（他方のコネクタ）
３０  係合突起（第二の被ロック部）
３１  係止部
３３  溝部（被進入部）
３４  レバー嵌合式コネクタ
【図１】
0003911142.tif 000002
【図２】
0003911142.tif 000003
【図３】
0003911142.tif 000004
【図４】
0003911142.tif 000005
【図５】
0003911142.tif 000006
【図６】
0003911142.tif 000007
【図７】
0003911142.tif 000008
【図８】
0003911142.tif 000009
【図９】
0003911142.tif 000010
【図１０】
0003911142.tif 000011
【図１１】
0003911142.tif 000012
【図１２】
0003911142.tif 000013